(57)【要約】【課題】明るく高画質な画像表示装置を安価に提供する。【解決手段】水平走査期間で同時に２ラインの走査配線が選択される重複走査モードにおいて、垂直限界解像度の１／２の解像度にあたる空間周波数のゲインが０ｄＢ〜＋６ｄＢとなるように映像信号に高域強調フィルタ処理を施す。この高域強調フィルタの垂直限界解像度の７／１０の解像度にあたる空間周波数におけるゲインが＋３ｄＢ以上であればさらに好ましい。このような高域強調フィルタ処理は、例えばフィルタ係数（ｈ１，ｈ２，ｈ３）＝（−ｘ／２，１＋ｘ，−ｘ／２）の３タップのＦＩＲフィルタによって実現することができる。【選択図】  図９
2004264790.tif 000002
【特許請求の範囲】
【請求項１】
走査配線と、変調配線と、該走査配線及び変調配線を介して駆動される表示素子とを有する表示パネルと、前記走査配線に走査信号を供給する走査回路と、前記変調配線に変調信号を供給する変調回路と、を備え、前記走査回路が、１つの選択期間において同時に隣接する複数の走査配線を選択し、同時に選択される走査配線の組を異ならしめて、１フレーム内において同じ走査配線を２回以上選択する走査方式を行う画像表示装置に用いられる画像信号処理装置において、
入力された画像データに、前記走査方式による垂直走査方向の解像度低下を補償する為の信号処理を施して、前記変調回路に供給するためのフィルタ手段を備え、
前記フィルタ手段の正規化垂直空間周波数応答特性が、前記表示パネルの垂直限界解像度の１／２の解像度にあたる空間周波数におけるゲインをＧ１として
０ｄＢ＜Ｇ１≦＋６ｄＢ
なる特性を有する画像信号処理装置。
【請求項２】
前記フィルタ手段の正規化垂直空間周波数応答特性が、前記表示パネルの垂直限界解像度の７／１０の解像度にあたる空間周波数におけるゲインをＧ２として
Ｇ２≧＋３ｄＢ
なる特性を有する請求項１に記載の画像信号処理装置。
【請求項３】
走査配線と、変調配線と、該走査配線及び変調配線を介して駆動される表示素子とを有する表示パネルと、
前記走査配線に走査信号を供給する走査回路と、
前記変調線に変調信号を供給する変調回路と、
を備え、
前記走査回路が、１つの選択期間において同時に隣接する複数の走査配線を選択し、同時に選択される走査配線の組を異ならしめて、１フレーム内において同じ走査配線を２回以上選択する走査方式を行う画像表示装置において、
入力された画像データに、前記走査方式による垂直走査方向の解像度低下を補償する為の信号処理を施して、前記変調回路に供給するためのフィルタ手段を備え、
前記画像表示装置の正規化垂直空間周波数応答特性が、前記表示パネルの垂直限界解像度の１／２の解像度にあたる空間周波数におけるレスポンスをＲ１として
−３ｄＢ＜Ｒ１≦＋３ｄＢ
なる特性を有する画像表示装置。
【請求項４】
前記表示パネルは、前記走査配線と前記変調配線との交点に配置された表示素子としての電子放出素子と、
前記電子放出素子から放出された電子が衝突して発光する蛍光体と、
を有する請求項３に記載の画像表示装置。
【請求項５】
前記電子放出素子は表面伝導型放出素子である請求項４に記載の画像表示装置。
【請求項６】
前記電子放出素子はＦＥ型放出素子である請求項４に記載の画像表示装置。
【請求項７】
表示パネルの走査配線に走査信号を供給する走査回路と変調配線に変調信号を供給する変調回路を有し、１つの選択期間において同時に隣接する複数の走査配線を選択し、同時に選択される走査配線の組を異ならしめて、１フレーム内において同じ走査配線を２回以上選択する画像表示装置に供給する画像信号を処理する画像信号処理方法において、
入力された画像データに、前記走査工程による垂直走査方向の解像度低下を補償する為の信号処理を施して、前記変調回路に供給するフィルタリング工程を有し、
前記フィルタリング行程の正規化垂直空間周波数応答特性が、前記表示パネルの垂直限界解像度の１／２の解像度にあたる空間周波数におけるゲインをＧ１として
０ｄＢ＜Ｇ１≦＋６ｄＢ
なる特性を有する画像信号処理方法。
【請求項８】
前記フィルタリング工程の正規化垂直空間周波数応答特性が、前記表示パネルの垂直限界解像度の７／１０の解像度にあたる空間周波数におけるゲインをＧ２として
Ｇ２≧＋３ｄＢ
なる特性を有する請求項７に記載の画像信号処理方法。
【請求項９】
表示パネルの走査配線に走査信号を供給する走査回路と変調線に変調信号を供給する変調回路を有する画像表示装置を用いた画像表示方法において、
前記走査回路が、１つの選択期間において同時に隣接する複数の走査配線を選択し、同時に選択される走査配線の組を異ならしめて、１フレーム内において同じ走査配線を２回以上選択する走査工程と
入力された画像データに、前記走査方式による垂直走査方向の解像度低下を補償する為の信号処理を施して、前記変調回路に供給するためのフィルタリング行程とを有し、
前記画像表示装置の正規化垂直空間周波数応答特性は、前記表示パネルの垂直限界解像度の１／２の解像度にあたる空間周波数におけるレスポンスをＲ１として
−３ｄＢ＜Ｒ１≦＋３ｄＢ
なる特性を有する画像表示方法。
【発明の詳細な説明】
【０００１】
【発明の属する技術分野】
本発明は、ＥＬ表示装置、プラズマ表示装置、電子線放出型蛍光表示装置など、各種表示装置に用いられる画像信号処理装置及び画像表示装置並びにその方法に関する。
【０００２】
【従来の技術】
図１５に従来の表示装置の構成を、電子放出素子とそこから放出された電子を受けて発光する発光体（蛍光体）とを組み合わせた画素を有する自発光型画像表示装置を例に挙げて説明する。
【０００３】
従来の表示装置は、主として表示パネル１、走査駆動部２、変調駆動部３、同期分離回部４、ＡＤコンバータ５、制御部６及び画像処理部７とを備える。
【０００４】
表示パネル１は表面伝導型電子放出素子を用いて画像を表示する。行方向の走査配線Ｄｘ１〜Ｄｘｍと列方向の変調配線Ｄｙ１〜Ｄｙｎがマトリックス状に配置され、各交点上には不図示の電子放出素子が配置されており、表示パネル１はｍ行ｎ列の電子放出素子を備える。この素子に電流を流すと電子が放出されるが、図１６に示したような非線形特性を有する。例えば素子に１６Ｖの電圧を印加すると電子が放出されるが、８Ｖを印加した場合には電子はほとんど放出されない。また、放出された電子は不図示の加速手段によって加速され、不図示の蛍光体面に衝突して発光する。すなわち１６Ｖの電圧を印加した素子は発光するが、その半分の８Ｖの電圧を印加しても素子は発光しない。よって図１７に示すような単純マトリックス駆動が可能である。
【０００５】
走査駆動部２は、さらに切り替えスイッチ２２、選択電位発生部２３、非選択電位発生部２４から構成される。
【０００６】
変調駆動部３は、さらにシフトレジスタ３１、ラッチ３２、パルス幅変調回路３３、駆動アンプ３４から構成される。４は同期分離部である。５はＡＤコンバータである。６はマイクロコンピュータあるいは論理回路などから構成される制御部である。７は画像処理部である。
【０００７】
Ｓ１は装置に入力されたアナログ映像信号である。Ｓ２はアナログ映像信号Ｓ１より分離された同期信号である。Ｓ３はＳ１をＡＤコンバータ５でサンプリングしたデジタル映像信号である。Ｓ４はデジタル映像信号に画像処理を施した表示信号である。Ｓ５はＡＤコンバータ５に供給される変換タイミング信号である。Ｓ６は画像処理部７の制御を行う画像処理制御信号である。Ｓ７はシフトレジスタ３１の動作を制御する映像クロック信号である。Ｓ８は変調駆動部３の動作を制御する変調制御信号である。Ｓ９はパルス幅変調回路３３の動作基準となるＰＷＭクロックである。Ｓ１０は走査駆動部２の動作を制御する走査制御信号である。
【０００８】
装置に入力されたアナログ映像信号Ｓ１から同期分離部４によって抽出された同期信号Ｓ２は制御部６に入力される。
【０００９】
制御部６は同期信号Ｓ２を元に各種制御信号Ｓ５〜Ｓ１０を生成する。
【００１０】
ＡＤコンバータ５は変換タイミング信号Ｓ５に従ってアナログ映像信号Ｓ１を入力し、サンプリングしてデジタル映像信号Ｓ３を出力する。
【００１１】
画像処理部７はデジタル映像信号Ｓ３を入力し、画像調整や解像度変換などの画像処理を行い、表示信号Ｓ４を出力する。
【００１２】
走査駆動部２および変調駆動部３が表示パネル１を駆動する動作を説明する。このときのタイミングを図１８に示す。
【００１３】
変調駆動部３は映像クロック信号Ｓ７に同期して表示信号Ｓ４をシフトレジスタ１３に順次入力し、変調制御信号Ｓ８のＬＯＡＤ信号に従いラッチ１４に表示データを保持する。そして変調制御信号Ｓ８のＳＴＡＲＴ信号によりＰＷＭクロックＳ９を基準にして、ラッチ３２に保持されたデータに従った長さのパルス信号をパルス幅変調回路３３で生成し、駆動アンプ３４にて電圧をＶｍに増幅して表示パネル１の変調配線を駆動する。
【００１４】
以上の動作により入力された映像信号Ｓ１の内容が表示パネル１に表示される。
【００１５】
【発明が解決しようとする課題】
画像表示装置、特に民生用機器においては一般的には明るい画面が好まれる傾向にある。しかしながら民生用機器では同時にコストに対する要求も常に厳しく、コストダウンは常に求められる課題である。一方で画像表示装置の性能の指標として表示画像の画質、特に鮮鋭度は重要な要素である。
【００１６】
本発明は以上の事柄を鑑み、明るく高画質な画像表示装置を安価に提供することを目的とするものである。
【００１７】
【課題を解決するための手段】
本発明は以上の課題を解決するために以下の手段を用いる。すなわち、
（手段１）走査配線と、変調配線と、該走査配線及び変調配線を介して駆動される表示素子とを有する表示パネルと、前記走査配線に走査信号を供給する走査回路と、前記変調配線に変調信号を供給する変調回路と、を備え、前記走査回路が、１つの選択期間において同時に隣接する複数の走査配線を選択し、同時に選択される走査配線の組を異ならしめて、１フレーム内において同じ走査配線を２回以上選択する走査方式を行う画像表示装置に用いられる画像信号処理装置において、
入力された画像データに、前記走査方式による垂直走査方向の解像度低下を補償する為の信号処理を施して、前記変調回路に供給するためのフィルタ手段を備え、
前記フィルタ手段の正規化垂直空間周波数応答特性が、前記表示パネルの垂直限界解像度の１／２の解像度にあたる空間周波数におけるゲインをＧ１として
０ｄＢ＜Ｇ１≦＋６ｄＢ
なる特性を有する画像信号処理装置。
【００１８】
（手段２）前記フィルタ手段の正規化垂直空間周波数応答特性が、前記表示パネルの垂直限界解像度の７／１０の解像度にあたる空間周波数におけるゲインをＧ２としてＧ２≧＋３ｄＢなる特性を有する手段１に記載の画像信号処理装置。
【００１９】
（手段３）走査配線と、変調配線と、該走査配線及び変調配線を介して駆動される表示素子とを有する表示パネルと、前記走査配線に走査信号を供給する走査回路と、
前記変調線に変調信号を供給する変調回路と、を備え、前記走査回路が、１つの選択期間において同時に隣接する複数の走査配線を選択し、同時に選択される走査配線の組を異ならしめて、１フレーム内において同じ走査配線を２回以上選択する走査方式を行う画像表示装置において、入力された画像データに、前記走査方式による垂直走査方向の解像度低下を補償する為の信号処理を施して、前記変調回路に供給するためのフィルタ手段を備え、前記画像表示装置の正規化垂直空間周波数応答特性が、前記表示パネルの垂直限界解像度の１／２の解像度にあたる空間周波数におけるレスポンスをＲ１として−３ｄＢ＜Ｒ１≦＋３ｄＢなる特性を有する画像表示装置。
【００２０】
（手段４）前記表示パネルは、前記走査配線と前記変調配線との交点に配置された表示素子としての電子放出素子と、前記電子放出素子から放出された電子が衝突して発光する蛍光体と、を有する手段３に記載の画像表示装置。
【００２１】
（手段５）前記電子放出素子は表面伝導型放出素子である手段４に記載の画像表示装置。
【００２２】
（手段６）前記電子放出素子はＦＥ型放出素子である手段４に記載の画像表示装置。
【００２３】
（手段７）表示パネルの走査配線に走査信号を供給する走査回路と変調配線に変調信号を供給する変調回路を有し、１つの選択期間において同時に隣接する複数の走査配線を選択し、同時に選択される走査配線の組を異ならしめて、１フレーム内において同じ走査配線を２回以上選択する画像表示装置に供給する画像信号を処理する画像信号処理方法において、
入力された画像データに、前記走査工程による垂直走査方向の解像度低下を補償する為の信号処理を施して、前記変調回路に供給するフィルタリング工程を有し、
前記フィルタリング行程の正規化垂直空間周波数応答特性が、前記表示パネルの垂直限界解像度の１／２の解像度にあたる空間周波数におけるゲインをＧ１として
０ｄＢ＜Ｇ１≦＋６ｄＢ
なる特性を有する画像信号処理方法。
【００２４】
（手段８）前記フィルタリング工程の正規化垂直空間周波数応答特性が、前記表示パネルの垂直限界解像度の７／１０の解像度にあたる空間周波数におけるゲインをＧ２として
Ｇ２≧＋３ｄＢ
なる特性を有する手段７に記載の画像信号処理方法。
【００２５】
（手段９）表示パネルの走査配線に走査信号を供給する走査回路と変調線に変調信号を供給する変調回路を有する画像表示装置を用いた画像表示方法において、
前記走査回路が、１つの選択期間において同時に隣接する複数の走査配線を選択し、同時に選択される走査配線の組を異ならしめて、１フレーム内において同じ走査配線を２回以上選択する走査工程と
入力された画像データに、前記走査方式による垂直走査方向の解像度低下を補償する為の信号処理を施して、前記変調回路に供給するためのフィルタリング行程とを有し、
前記画像表示装置の正規化垂直空間周波数応答特性は、前記表示パネルの垂直限界解像度の１／２の解像度にあたる空間周波数におけるレスポンスをＲ１として
−３ｄＢ＜Ｒ１≦＋３ｄＢ
なる特性を有する画像表示方法。
【００２６】
【発明の実施の形態】
（第１の実施形態）
図１に本発明の第１の実施形態における画像表示装置の構成を示す。
【００２７】
画像表示装置は、主として、表示パネル１、走査駆動部２、変調駆動部３、同期分離回部４、ＡＤコンバータ５、制御部６、画像処理部７及び垂直フィルタ部８とを備える。図２に示す従来の画像表示装置と同様の構成及び動作については同様の符号を用いて説明を省略する。なお、本実施形態では、表示パネル１において電子放出素子として、表面伝導型放出素子、ＦＥ型放出素子、ＭＩＭ型放出素子等を使用することができるが、これらに限られない。画素も、電子放出素子とそこから放出された電子を受けて発光する発光体（蛍光体）とを組み合わせた構成に限定されることはなく、有機ＥＬ素子、無機ＥＬ素子、プラズマ発光素子などであってもよい。
【００２８】
フィルタ手段としての垂直フィルタ部８は、画像処理部７から出力された信号に後述するフィルタリング処理を施し表示信号Ｓ４を出力する。
【００２９】
また、表示パネル１の駆動方法の応用として、２ライン以上の走査配線Ｄｘ１〜Ｄｘｍを同時にアクティブにする（選択する）ことによって、その２ライン上であって同じ列に属する２つの画素が同じ駆動電圧パルスによって発光するので、表示パネル１に表示される画像の輝度を大きくすることが可能である。このときのタイミングを図２に示す。最初の水平走査期間には、走査配線Ｄｘ１、Ｄｘ２に同時に走査選択電位Ｖ１が供給されるので、これら走査配線に対応する画素では、２行同時に発光可能となる。走査非選択電位Ｖ２が全ての走査配線に一時的に供給されるとともに全ての変調配線Ｄｙ１〜Ｄｙｎに同電位が供給されて、画素を構成する電子放出素子の印加電圧を一旦ゼロにする。その後の、次の水平走査期間には、走査配線Ｄｘ２、Ｄｘ３に同時に走査選択電位Ｖ１が供給され、これら走査配線に対応する画素では、２行同時に発光可能となる。この後は同様の動作を繰り返す。
【００３０】
各走査配線Ｄｘｍを、連続した２水平走査期間でアクティブになるように駆動を行い、各水平走査期間では同時に２ラインの走査配線が選択されるように駆動を行う。このようにすることによって表示パネル１に表示される映像の輝度をほぼ２倍にすることが可能となる。この駆動方法、つまり、１つの選択期間において同時に隣接する複数の走査配線を選択し、同時に選択される走査配線の組を異ならしめて、１フレーム内において同じ走査配線を２回以上選択する走査方式を、以下「重複走査モード」と表記する。
【００３１】
このように重複走査モードは通常の画像表示装置の走査回路である走査駆動部２の動作タイミングを変更するだけで、実現が可能であるので、ローコストにて画像表示装置の表示輝度を大幅に向上させることが可能である。
【００３２】
一方、重複走査モードでは表示画像の垂直解像度が低下するという弊害が起こることが直感的および経験的にわかっている。しかしながら、これまでは重複走査モードが具体的にどのような表示特性をもつのか明らかにされていなかった。
【００３３】
そこで、発明者は重複走査モードにおける表示特性を検討し、その特性を明らかにした。以下、その検討内容を説明する。
【００３４】
通常の走査方法にて表示パネル１を駆動する場合の概念図を図３に示す。１〜６は各走査線につけた番号であり、ａ〜ｆは各走査線に対応した、１ライン分の映像信号である。
【００３５】
ここで図３のような映像信号を、重複走査モードで駆動して表示を行うと図４のように表示される。つまり、２ライン目には映像信号ａとｂが順次表示され、３ライン目には映像信号ｂとｃが順次表示されることになる。要するに、元の走査線の構成要素が一つ下の走査線にも出現することがわかる。それぞれの要素が１区切りずつ遅れた区間にも出現するということは、つまり、垂直方向に対してインパルス応答が（１，１）であるローパスフィルタが演算されているのと同等であると考えられる。よって重複走査モードにおける垂直空間周波数応答特性は、例えば垂直走査線数が７２０本の表示パネルの場合で図５のような特性になると考えられる。
【００３６】
次に表示パネルの垂直解像度の実測を行った。パネルの垂直空間周波数応答特性測定系の概念図を図６に示す。測定系は、信号発生器４１、被測定パネル４２、ビデオカメラ４３、スペクトルアナライザ４４、観測モニタ４５からなる。
【００３７】
信号発生器４１からは垂直方向の周期波形（横縞）を発生させ、それを被測定パネル４２に表示する。それをビデオカメラ４３にて撮影するのであるが、そのときビデオカメラ４３の向きを９０°横に傾けておく。そうするとビデオカメラ４３では横方向の周期波形（縦縞）が撮影され、撮影された映像信号は例えば図７のような波形になる。この信号をスペクトルアナライザ４４にて観測すると、信号発生器４１で発生させた周期信号に対応したスペクトルが観測される。このスペクトルのピークレベルを、信号発生器４１で発生した空間周波数に対応するレスポンスとし、信号発生器４１での発生周波数をスイープさせてプロットすることにより、被測定パネル４２の垂直空間周波数応答特性が測定できる。
【００３８】
このようにして測定された垂直空間周波数応答特性と図５に示した計算値を重ね合わせると図８のようになり、非常によく一致した。
【００３９】
この結果から、重複走査モードにおける垂直空間周波数応答特性はインパルス応答（１，１）の垂直フィルタ相当の特性をもつということが結論付けられる。
【００４０】
ＣＲＴにおけるアパーチャ補正回路と同様、重複走査モードにおける垂直解像度劣化を信号処理によって補償することは可能であると考えられるが、表示特性が明らかでないと最適な補償を行うのは困難である。しかしながら本発明において重複走査モードの表示特性が明らかになったことで最適な補償回路の設計が可能となった。
【００４１】
以下、垂直フィルタ８として実現される補償フィルタの設計方法について説明する。
【００４２】
垂直限界解像度の１／２の解像度の付近にあたる空間周波数は鮮鋭度に関する視覚的な影響が大きいので、補償後の表示特性はこの帯域が平坦になっていることが望ましい。主観評価等を行った結果より、垂直解像度が０ＴＶ本〜限界解像度の１／２の範囲において映像信号に対する表示パネルでのレスポンスが±３ｄＢ以内であれば、良好な表示状態を得られることが見出された。
【００４３】
補償を行わない重複走査モードの垂直空間周波数応答特性において、は−３ｄＢである。すなわち、映像信号に垂直限界解像度の１／２の解像度にあたる空間周波数のゲインが０ｄＢ〜＋６ｄＢである高域強調フィルタ処理を施すことにより、同解像度にあたる空間周波数のレスポンスが±３ｄＢとなる良好な表示状態を得ることが可能である。
【００４４】
またさらに、前記高域強調フィルタの垂直限界解像度の７／１０の解像度にあたる空間周波数におけるゲインが＋３ｄＢ以上であれば、より好ましい表示状態が得られることも見出された。
【００４５】
本発明のフィルタ手段として用いられる垂直フィルタ８、つまり、高域強調フィルタの具体的な回路構成としては、図９に示したようなハードウェア規模の小さい３タップのＦＩＲ（ｆｉｎｉｔｅ  ｉｍｐｕｌｓｅ  ｒｅｓｐｏｎｓｅ）フィルタが好適である。このフィルタはある画素用の画像データと、そのデータに対して１水平走査期間遅延させた別の画素用の画像データと、そのデータに対して２水平走査期間遅延させた更に別の画素用の画像データと、に、フィルタ係数（インパルス応答）Ｈｎ＝（ｈ１，ｈ２，ｈ３）を乗算して、それらを加算するものである。勿論、必要に応じて加算結果は正規化処理される。つまり、図９に示すようなフィルタを用いて、そのフィルタ係数を適宜設定すれば、上述した高域強調フィルタの特性が決定できる。
【００４６】
３タップの高域強調フィルタは、インパルス応答Ｈｎ＝（−ｘ／２，１＋ｘ，−ｘ／２）で表される。重複走査モードの補償に好適なフィルタの３種類の係数は、［ｘ＝０．２］の時の（−０．１，１．２，−０．１），［ｘ＝０．４］の時の（−０．２，１．４，−０．２），［ｘ＝０．６］の時の（−０．３，１．６，−０．３）などである。これら３種類のフィルタの周波数特性を図１０に示す。
【００４７】
具体的には、ある画素の画素データをｂとし、１水平走査期間をおいて前後する２つの画素データをそれぞれａ、ｃとした時、フィルタ係数が（−０．１，１．２，−０．１）の場合、フィルタ処理され規格化された画素データｂ’は、ｂ’＝−０．１ａ＋１．２ｂ−０．１ｃとなる。
【００４８】
ここに例示した３種のフィルタはいずれも垂直限界解像度（７２０）の１／２の解像度（３６０）にあたる空間周波数のゲインが０ｄＢ〜＋６ｄＢの範囲以内となっている。さらに［ｘ＝０．４］と［ｘ＝０．６］のフィルタは垂直限界解像度の７／１０の解像度にあたる空間周波数におけるゲインが＋３ｄＢ以上でもある。
【００４９】
これらのフィルタを用いて補償を行った重複走査モードの垂直空間周波数応答特性を図１１に示す。垂直限界解像度の１／２の解像度にあたる空間周波数でのレスポンスが±３ｄＢ以内であり、補償無しの状態よりも良好な特性が得られていることがわかる。
【００５０】
また、フィルタ係数は、上述した範囲の空間周波数応答が得られるように、上述した設定範囲のなかからユーザが適宜選択して決定してもよいし、ＲＯＭや制御部のレジスタ等の格納手段に格納された値により予め設定された係数としてもよい。
【００５１】
（第２の実施形態）
第１の実施形態で補償フィルタに用いた３タップの垂直フィルタはハードウェア量が少なく実装が容易であるが、特性の自由度が少ないという問題点もある。例えば垂直限界解像度の７／１０の解像度にあたる空間周波数におけるレスポンスを補償しようとすると、連動して垂直限界解像度の１／２の解像度にあたる空間周波数におけるレスポンスが過補償気味になる等である。このような現象が問題となるような高精度の応用については、より高次のフィルタを用いて本発明を実施することで対応が可能である。
【００５２】
７タップ垂直フィルタの構成を図１２に示す。この構成のフィルタで、例えばＨｎ＝（−２，１３，−５４，２２４，−５４，１３，−２）というフィルタ係数を用いると、フィルタの周波数特性は図１３のようになり、このフィルタを用いて補償を行った重複走査モードの空間周波数応答特性は図１４のようになる。すなわち、より平坦な空間周波数特性が得られることがわかる。
【００５３】
このように補償フィルタとして７次のフィルタを用いると補償用のハードウェアが複雑になる代わりに、より高精度な補償が可能となる。また、フィルタ部以外の装置の構成は第１の実施形態と同様である。
【００５４】
ここではフィルタの係数の例として、Ｈｎ＝（−２，１３，−５４，２２４，−５４，１３，−２）という係数を例示したが、これとは異なる係数をもつフィルタを用いても同様にして本発明を実施可能である。
【００５５】
また本発明はフィルタの実際的な構成によらず実施が可能であるので、ここで例示したフィルタとは異なる構成のフィルタを用いても同様の手法にて本発明を実施可能である。異なる構成のフィルタとは例えば、５次のフィルタや９次以上の高次フィルタ、偶数次フィルタ、ＩＩＲ（ｉｎｆｉｎｉｔｅ  ｉｍｐｕｌｓｅ  ｒｅｓｐｏｎｓｅ）フィルタなどがある。またさらにその他の構成のフィルタについても同様に実施可能である。
【００５６】
本発明に用いられるフィルタの一般的設計論は、「よくわかるディジタル画像処理」（ＣＱ出版株式会社、１９９７年８月３０日第３版発行）などにより、周知である。
【００５７】
また、以上説明した実施形態では、図４に示したように、１垂直走査期間において、先に１番目のラインと２番目のラインの計２ラインが同時に選択され、次の選択期間には、先に同時選択されたラインのうちの２番目のラインと、先の選択時には非選択であった３番目のラインの計２ラインが同時に選択される重複走査モードを示した。
【００５８】
しかしながら、本発明はこの方式に限定されることはなく、１フレームを２つの垂直走査期間（２フィールド走査期間）に分け、先のフィールドでは、先に１番目のラインと２番目のラインの計２ラインが同時に選択され、次の選択期間には、先に非選択であったラインのうちの３番目のラインと、４番目のラインの計２ラインが同時に選択され、次のフィールドでは、先に２番目のラインと３番目のラインの計２ラインが同時に選択され、次の選択期間には、４番目のラインと、５番目のラインの計２ラインが同時に選択される、という重複走査モードであってもよい。
【００５９】
要するに、走査線（ライン）の重複は時間的に連続した水平走査期間で生じさせても、連続しない水平走査期間で生じさせてもよく、１フレーム内にて結果的に重複するものであってもよいのである。
【００６０】
また、ここでは２ラインの同時選択且つ１ライン重複走査を行う表示装置について例示したが、３ライン以上の同時選択且つ２ライン以上の重複走査を行う表示装置、つまり、複数ライン同時選択且つ同時選択されるライン数の半分以上のライン数が重複する走査方式であることが好ましい。
【００６１】
また、本発明は単純マトリクス型表示パネルに上述した走査方式を適用した場合に好適であるが、これに限定されることはなく、アクティブマトリクス型表示パネルであっても、適用は可能である。
【００６２】
また、本発明の画像表示装置は、常に重複走査モードで走査される必要はなく、図３に示したように、１ラインずつ順次選択される走査モードをも用意し、ユーザの選択などによって、選択的に走査モードを切り替えられるようにしてもよい。
【００６３】
【発明の効果】
以上説明したように本発明によれば、重複走査モードにおける垂直空間周波数応答特性の中高域部の低下分を最適に補償し、良好な表示画像を得ることが可能となり、明るく高画質な画像表示装置を安価に提供することができる。
【図面の簡単な説明】
【図１】図１は本発明を適用した表示装置の構成図である。
【図２】図２は本発明における重複走査のタイミング図である。
【図３】図３は従来の駆動法の概念図である。
【図４】図４は重複走査モードの概念図である。
【図５】図５は重複走査モードの垂直空間周波数応答特性の計算値を示すグラフである。
【図６】図６は垂直空間周波数応答特性の測定系を示す図である。
【図７】図７は図６の測定系で計測される信号波形の例を示す図である。
【図８】図８は重複走査モードの垂直空間周波数応答特性の計算値と実測値を重ね合わせて示したグラフである。
【図９】図９は３タップ垂直フィルタの構成を示す図である。
【図１０】図１０は３タップ垂直フィルタの特性例を示すグラフである。
【図１１】図１１は３タップフィルタで補償した重複走査モードの垂直空間周波数応答特性を示すグラフである。
【図１２】図１２は７タップ垂直フィルタの構成を示すグラフである。
【図１３】図１３は７タップ垂直フィルタの特性例を示すグラフである。
【図１４】図１４は７タップフィルタで補償した重複走査モードの垂直空間周波数応答特性を示す図である。
【図１５】図１５は従来の表示装置の構成図である。
【図１６】図１６は電子放出素子の特性を示す図である。
【図１７】図１７は単純マトリクス駆動の概念図である。
【図１８】図１８は従来のタイミング図である。
【符号の説明】
１    表示パネル
２    走査駆動部
３    変調駆動部
４    同期分離部
５    ＡＤコンバータ
６    制御部
７    画像処理部
８    垂直フィルタ
２２  切り替えスイッチ
２３  選択電位発生部
２４  非選択電位発生部
３１  シフトレジスタ
３２  ラッチ
３３  変調回路
３４  駆動回路
４１  信号発生器
４２  非測定パネル
４３  ビデオカメラ
４４  スペクトルアナライザ
４５  観測モニタ
【図１】
2004264790.tif 000003
【図２】
2004264790.tif 000004
【図３】
2004264790.tif 000005
【図４】
2004264790.tif 000006
【図５】
2004264790.tif 000007
【図６】
2004264790.tif 000008
【図７】
2004264790.tif 000009
【図８】
2004264790.tif 000010
【図９】
2004264790.tif 000011
【図１０】
2004264790.tif 000012
【図１１】
2004264790.tif 000013
【図１２】
2004264790.tif 000014
【図１３】
2004264790.tif 000015
【図１４】
2004264790.tif 000016
【図１５】
2004264790.tif 000017
【図１６】
2004264790.tif 000018
【図１７】
2004264790.tif 000019
【図１８】
2004264790.tif 000020